(57)【要約】【課題】新しい被制御機器が出たときに、新しい被制御機器用の制御プログラムを記憶した集中制御コントローラに取り替え無くても対応できるようにすること。【解決手段】機種別の制御範囲データ１２２を被制御機器１２に記憶し、利用者が集中制御コントローラ１１を使って被制御機器１２を制御するときには、この機種別の制御範囲データ１２２に従って集中制御コントローラ１１が被制御機器１２の制御できる範囲をコントロールすることにより、新しい被制御機器１２が出てきても、被制御機器１２にその機器に応じた機種別の制御範囲データ１２２を記憶しておくだけで対応することが可能となり、集中制御コントローラ１１を交換したり集中制御コントローラ１１のプログラムを入れ替えたりすることなく新しい被制御機器１２に対応することができる。【選択図】図１
2005303645.tif 000002
【特許請求の範囲】
【請求項１】
複数の被制御機器を集中コントロールする集中制御コントローラと、前記集中制御コントローラからの制御信号により制御される被制御機器とを備え、前記集中制御コントローラは、利用者が制御したい被制御機器に対応した制御範囲データを前記被制御機器から取得し、取得した前記制御範囲データに従って被制御機器の機種ごとに利用者が制御できる範囲を変更するようにした集中制御システム。
【請求項２】
集中制御コントローラと被制御機器は宅内ネットワークにより通信を行うようにした請求項１に記載の集中制御システム。
【請求項３】
被制御機器は、自己の機器情報データを記憶する機器情報データ記憶手段と、自己の制御範囲データを記憶する制御範囲データ記憶手段と、前記機器情報データまたは前記制御範囲データを前記集中制御コントローラに送信する被制御機器データ送信手段とを備えた請求項１または２に記載の集中制御システム。
【請求項４】
集中制御コントローラは、前記被制御機器から機器情報データおよび制御範囲データを取得する被制御機器データ取得手段と、前記集中制御コントローラで集中制御する被制御機器を前記集中制御コントローラに登録する機器登録手段と、登録した被制御機器の機器情報データを記憶する登録情報記憶手段と、登録した被制御機器の制御範囲データを記憶する登録済み機器制御範囲データ記憶手段とを備えた請求項１〜３のいずれか１項に記載の集中制御システム。
【請求項５】
請求項１〜４のいずれか１項に記載の集中制御コントローラにおける機能の少なくとも一部をコンピュータで実現するプログラム。
【発明の詳細な説明】
【技術分野】
【０００１】
本発明は、特に、複数の家電機器、すなわち被制御機器を一つのコントローラで集中制御できるようにした集中制御システムおよびそのプログラムに関するものである。
【背景技術】
【０００２】
従来、この種の集中制御システムとしては、家電機器を集中的に制御する集中制御コントローラと集中制御コントローラにより、制御される複数の被制御機器とが宅内通信手段により通信を行っている（例えば、特許文献１参照）。
【０００３】
図１０は、特許文献１に記載された従来の集中制御システムを示すものであり、一つの集中制御コントローラ１００１と、このコントローラにより制御される複数の被制御機器１３０２と、宅内ネットワーク１００３とから構成されている。
【特許文献１】特開平５−２２７５７４号公報
【発明の開示】
【発明が解決しようとする課題】
【０００４】
しかしながら、前記従来の構成では、被制御機器１００２を制御するための制御プログラムは、集中制御コントローラ１００１の読み出し専用メモリー（ＲＯＭ）に記憶されているため、全ての被制御機器１００２に対して、被制御機器１００２の機能にかかわらず同じ制御範囲の制御を行うプログラムを記憶するか、または、被制御機器１００２ごとに別々の制御プログラムを記憶するかになっていた。このため、より広い範囲を制御できる新しい被制御機器が出てきても、制御できる範囲が制限されたり、新しい被制御機器用の制御プログラムを記憶した集中制御コントローラに取り替えたりしなければならないという課題を有していた。
【０００５】
本発明は、前記従来の課題を解決するもので、新しい被制御機器が出てきたときに、集中制御コントローラを取り替えたり、集中制御コントローラに記憶されているプログラムを変更したりすることなく、新しい被制御機器が持つ制御可能範囲に応じた制御ができるものとした集中制御システムおよびそのプログラムを提供することを目的とする。
【課題を解決するための手段】
【０００６】
前記従来の課題を解決するために、本発明の集中制御システムおよびそのプログラムは、集中制御コントローラが、利用者が制御したい被制御機器に対応した制御範囲データを被制御機器から取得し、取得した制御範囲データに従って被制御機器の機種ごとに利用者が制御できる範囲を変更するようにしたものである。
【０００７】
これによって、利用者が集中制御コントローラを使って被制御機器の制御を行う際に、取得した被制御機器に対応した制御範囲データに従って制御を行うことが可能となるとともに、新しい被制御機器が出てきても、その機器に応じた制御範囲データを被制御機器から新たに取得することにより、集中制御コントローラを取り替えたり、集中制御コントローラに記憶されているプログラムを変更したりすることなく、新しい被制御機器の制御範囲を集中制御コントローラに設定することが可能となる。
【発明の効果】
【０００８】
本発明の集中制御システムおよびそのプログラムは、新しい被制御機器が出てきたときに、集中制御コントローラを取り替えたり、集中制御コントローラのプログラムを変更したりすることなく、新しい被制御機器の制御範囲に対応することができる。
【発明を実施するための最良の形態】
【０００９】
第１の発明は、複数の被制御機器を集中コントロールする集中制御コントローラと、前記集中制御コントローラからの制御信号により制御される被制御機器とを備え、前記集中制御コントローラは、利用者が制御したい被制御機器に対応した制御範囲データを前記被制御機器から取得し、取得した前記制御範囲データに従って被制御機器の機種ごとに利用者が制御できる範囲を変更するようにした集中制御システムとすることにより、利用者が集中制御コントローラを使って被制御機器の制御を行う際に、取得した被制御機器に対応した制御範囲のデータに従って制御を行うことが可能となるとともに、新しい被制御機器が出てきても、その機器に応じた制御範囲のデータを前記被制御機器から新たに取得することにより、集中制御コントローラを取り替えたり、集中制御コントローラに記憶されているプログラムを変更したりすることなく、新しい被制御機器の制御範囲を集中制御コントローラに設定することが可能となる。
【００１０】
第２の発明は、特に、第１の発明において、集中制御コントローラと被制御機器は宅内ネットワークにより通信を行うようにしたことにより、独自のプロトコルを使った通信を行うことが可能となり、通信のためのハードウェアモジュールを自由に選択することができる。
【００１１】
第３の発明は、特に、第１または第２の発明において、被制御機器は、自己の機器情報データを記憶する機器情報データ記憶手段と、自己の制御範囲データを記憶する制御範囲データ記憶手段と、機器情報データまたは制御範囲データを前記集中制御コントローラに送信する被制御機器データ送信手段とを備えたことにより、集中制御コントローラに新しく制御したい被制御機器を登録する際に、その被制御機器の機器情報データを被制御機器から取得し、その機器情報データを使って、新たに登録しようとしている被制御機器の機種に応じた機種別の制御範囲データが集中制御コントローラに存在するかどうかを確認し、存在しない場合にのみ、機種別の制御範囲データを登録しようとしている被制御機器に取得しに行けばよいこととなり、集中制御コントローラと被制御機器の間の通信を削減することができる。
【００１２】
第４の発明は、特に、第１〜３のいずれか１つの発明において、集中制御コントローラは、前記被制御機器から前記機器情報データおよび前記制御範囲データを取得する被制御機器データ取得手段と、前記集中制御コントローラで集中制御する被制御機器を前記集中制御コントローラに登録する機器登録手段と、登録した被制御機器の機器情報データを記憶する登録情報記憶手段と、登録した被制御機器の制御範囲データを記憶する登録済み機器制御範囲データ記憶手段とを備えたことにより、集中制御コントローラは、新たに登録しようとしている被制御機器の機種に応じた機種別の制御範囲データが登録済み機器制御範囲データ記憶手段に存在しない場合のみ、機種別の制御範囲データを被制御機器の機器登録時に一度だけ被制御機器に取得しに行けばよいこととなり、集中制御コントローラと被制御機器の間の通信を削減することができる。
【００１３】
第５の発明は、特に、第１〜４のいずれか１つの発明において、集中制御コントローラにおける機能の少なくとも一部をコンピュータで実現するプログラムとしたことにより、プログラムであるので、電気・情報機器、コンピュータ、サーバ等のハードリソースを協働させて集中制御コントローラの少なくとも一部を容易に実現することができる。また、記憶媒体に記憶したり通信回線を用いてプログラムを配信したりすることで、プログラムの配布やインストール作業が簡単にできる。
【００１４】
以下、本発明の実施の形態について、図面を参照しながら説明する。なお、この実施の形態によって本発明が限定されるものではない。
【００１５】
（実施の形態）
図１は、本発明の第１の実施の形態における集中制御システムを示すものである。
【００１６】
図１において、複数の被制御機器１２を集中コントロールする集中制御コントローラ１１は、被制御機器１２を登録する時に、被制御機器データ取得手段１１１を介して被制御機器１２の機器情報データを取得し登録する機器の機器情報データを登録情報記憶手段１１３に記憶するとともに、その機器情報データに対応した被制御機器１２の制御範囲データが登録済み機器情報制御範囲データ記憶手段１１４に存在しない場合は、被制御機器データ取得手段１１１を介して被制御機器１２の制御範囲データを取得し登録済み機器情報制御範囲データ記憶手段１１４に記憶する機器登録手段１１２を有したものであり、取得した制御範囲データに従って被制御機器１２の機種ごとに利用者が制御できる範囲を変更するようにしたものである。そして、被制御機器１２とは宅内ネットワーク（例えば無線通信ネットワークや電灯線通信ネットワーク）１３を通して通信を行う。
【００１７】
集中制御コントローラ１１からの制御信号により制御される被制御機器１２は、自己の機器情報データを記憶する機器情報データ記憶手段１２１と自己の制御範囲データを記憶する制御範囲データ記憶手段１２２を備えており、集中制御コントローラ１１に登録するときに、自己の機器情報データや制御範囲データを取り出し、被制御機器データ送信手段１２３により、宅内ネットワーク１３を通して、集中制御コントローラ１１に送信する。
【００１８】
以上のように構成された集中制御システムについて、以下その動作、作用をエアコンを被制御機器１２とした場合を例として説明する。
【００１９】
まず、被制御機器１２には自己の制御範囲が機種ごとの制御範囲データとして制御範囲データ記憶手段１２２に記憶される。
【００２０】
図２は被制御機器１２ごとに記憶されている機種ごとの制御範囲データの一例である。
【００２１】
図２（Ａ）のように、この機種ごとの制御範囲データは、Ａ社の００１という品番のエアコンは、運転モードとして冷房と除湿が設定可能であり、冷房モードで運転しているときの設定可能な温度の上限は２８℃、下限は２０℃であり、除湿モードで運転しているときの設定可能な温度の上限は２８℃、下限は２０℃であることを表している。
【００２２】
また、図２（Ｂ）のように、Ａ社の００２という品番のエアコンは、運転モードとして冷房と暖房と除湿が設定可能であり、冷房モードで運転しているときの設定可能な温度の上限が２８℃、下限が２０℃であり、暖房モードで運転しているときの設定可能な温度の上限が２８℃、下限が２０℃であり、除湿モードで運転しているときの設定可能な温度の上限が２８℃、下限が２０℃であることを表している。
【００２３】
さらに、図２（Ｃ）のように、Ｂ社の００１という品番のエアコンは、運転モードとして冷房と暖房と除湿が設定可能であり、冷房モードで運転しているときの設定可能な温度の上限が３０℃、下限が１８℃であり、暖房モードで運転しているときの設定可能な温度の上限が３０℃、下限が１８℃であり、除湿モードで運転しているときの設定可能な温度の上限が３０℃、下限が１８℃であることを表している。
【００２４】
この例では、冷房、暖房、除湿とも設定可能な温度の上限と下限は同じ値としているが、これらの値がモードごとに違っても良いことは言うまでもない。
【００２５】
また、この例では、運転モードについての制御範囲だけを示しているが、タイマー制御が可能かどうかなど、その他様々な制御パラメータについても記憶することができる。
【００２６】
利用者は、集中制御コントローラ１１で制御したい被制御機器１２であるエアコンを、機器登録手段１１２を使って集中制御コントローラ１１に登録を行う。
【００２７】
この登録処理の手順を図５のフローチャートと、図３の登録済み機器制御範囲データ記憶手段１１４に記憶される登録機器データの例を示す図、図４の被制御機器１２の機器情報データ記憶手段１２１に記憶される機器情報データの例を示す図、図９の集中制御コントローラの登録情報記憶手段に記憶されている機器情報データの例を示す図を使って説明する。
【００２８】
まず、機器登録作業を開始すると、集中制御コントローラ１１の機器登録手段１１２は被制御機器データ取得手段１１１を使って、登録しようとしている被制御機器１２であるエアコンの機器情報データ記憶手段１２１に記憶されている機器情報データを、宅内ネットワーク１３を通じて取得する（ステップ５１）。このとき、被制御機器１２は、機器情報データ記憶手段１２１から取り出した機器情報データを、被制御機器データ送信手段１２３を使って集中制御コントローラ１１に送信する。
【００２９】
例えば、利用者がＡ社の００１という品番のエアコンを登録する場合、集中制御コントローラ１２はエアコンの機器情報データとして、図４（Ａ）に示すように「Ａ社：００１」という機器情報データを取得することになる。
【００３０】
次に、集中制御コントローラ１１の機器登録手段１１２は、取得した機器情報データ（この場合は「Ａ社：００１」）を登録情報記憶手段１１３に記憶する（ステップ５２）とともに、登録済み機器制御範囲データ記憶手段１１４に機器情報データに該当する機器の機器制御範囲データが存在しないかどうかを検索する（ステップ５３）。このとき、登録情報記憶手段１１３に記憶されている機器情報データは図９（Ａ）のようになる。
【００３１】
この場合、集中制御コントローラ１１には、何もエアコンが登録されていないので、登録機器データは図３（Ａ）の状態にあり、該当機器であるＡ社の００１という品番のエアコンのデータは存在しないことになる（ステップ５４）。
【００３２】
集中制御コントローラ１１の機器登録手段１１２は、登録しようとしているエアコンの制御範囲のデータが登録済み機器制御範囲データ記憶手段１１４に存在しないので、被制御機器データ取得手段１１１を使って、登録しようとしている被制御機器１２であるエアコンの制御範囲データ記憶手段１２２に記憶されている機器制御範囲データを、宅内ネットワークを通じて取得する（ステップ５５）。このとき、被制御機器１２は、制御範囲データ記憶手段１２１から取り出した制御範囲データを、被制御機器データ送信手段１２３を使って集中制御コントローラ１１に送信する。
【００３３】
集中制御コントローラ１１は、被制御機器１２から取得した制御範囲データを、登録済み機器制御範囲データ記憶手段１１４に記憶する（ステップ５６）。これにより、登録済み機器制御範囲データ記憶手段１１４の登録機器データは図３（Ｂ）のようになる。
【００３４】
以下、同様に、利用者がＡ社の００２という品番のエアコンおよびＢ社の００１という品番のエアコンを集中制御コントローラ１１に登録する作業を行うと、登録済み機器制御範囲データ記憶手段１１４に記憶される機器制御範囲データは図３（Ｃ）のようになる。
なお、このとき、Ａ社の００２という品番のエアコンを登録する時は、集中制御コントローラ１１は図４（Ｂ）に示す機器情報データを取得し、Ｂ社の００１という品番のエアコンを登録する時は、集中制御コントローラ１２は図４（Ｃ）に示す機器情報データを取得することになる。これにより、登録情報記憶手段１１３に記憶されている機器情報データは図９（Ｂ）のようになる。
【００３５】
また、この後、利用者が再度Ａ社の００１という品番のエアコンの登録を行っても、（ステップ５４）の判断文により、（ステップ５５）〜（ステップ５６）がスキップされるため、取得した機器情報データは登録情報記憶手段１１３に記憶され（ステップ５２）、登録情報記憶手段１１３に記憶されている機器情報データは図９（Ｃ）のようになるが、登録済み機器制御範囲データ記憶手段１１４に記憶される機器制御範囲データにＡ社の００１という品番のエアコンの制御範囲が複数記憶されることは無い。
【００３６】
次に、利用者が集中制御コントローラ１２を使って、複数のエアコンを制御するときの処理手順を、図６の集中制御コントローラに表示される制御画面を示す図、図７および図８のフローチャートを使って説明する。
【００３７】
利用者は、図６（Ａ）に示すような集中制御コントローラ１１の画面によって、エアコンの制御を行う。この画面において、「モード切替」ボタンを押すと、運転モードが「冷房」、「暖房」、「除湿」の順に切り替わる。また、「△」ボタンを押すと設定温度が１℃上昇し、「▽」ボタンを押すと設定温度が１℃下がるものとする。
【００３８】
利用者がＡ社の００１という品番のエアコンの制御画面において、「モード切替」ボタンを押すと、集中制御コントローラ１１は登録済み機器制御範囲データ記憶手段１１４の制御範囲データの検索を行い、図７に示すように、Ａ社の００１という品番のエアコンの制御範囲を取り出す（図７のステップ７１）。次に、現在運転モードの次の運転モードを取り出す（ステップ７２）。図６（Ａ）に示す画面の例の場合、現在の運転モードは「冷房」であり、次の運転モードは「暖房」となる。
【００３９】
そして、次の運転モードである「暖房」が（ステップ７１）で取り出した制御範囲のデータで制御可能となっているかを判断する（ステップ７３）。
【００４０】
図３（Ｃ）の登録済み機器制御範囲データ記憶手段１１４の制御範囲データより、Ａ社の００１という品番のエアコンでは、「暖房」運転ができないことがわかるので、この判断はＮＯとなり、（ステップ７２）に戻る。（ステップ７２）では、次の運転モードである「除湿」が取り出され、（ステップ７３）で「除湿」が制御可能かどうかを判断する。
【００４１】
図３（Ｃ）の登録済み機器制御範囲データ記憶手段１１４の制御範囲データより、Ａ社の００１という品番のエアコンでは、「除湿」運転ができることがわかるので、この判断はＹＥＳとなり、図６（Ａ）の画面の運転モードのところに「除湿」と表示するとともに（ステップ７４）、しばらく「モード切替」ボタンが使用者によって操作されないのを確認して（あるいは、図示しないが使用者が「決定ボタン」を押すようにして確認してもよい）、この運転モードである「除湿」を被制御機器１２であるエアコンに送信する。新しい運転モードである「除湿」を受け取ったエアコンは、運転モードが「冷房」から「除湿」に変わる。
【００４２】
また、利用者が図６（Ｂ）に示すような集中制御コントローラ１１の画面によって、Ｂ社の００１という品番のエアコンの設定温度を下げる場合には、利用者が「▽」の温度変更ボタンを押すと、集中制御コントローラ１１は登録済み機器制御範囲データ記憶手段１１４の制御範囲データの検索を行い、図８に示すように、Ｂ社の００１という品番のエアコンの制御範囲を取り出す（ステップ８１）。
【００４３】
次に、利用者が押した温度変更ボタンが「△」か「▽」であるかを判断し（ステップ８２）、この場合、「▽」であるので、（ステップ８５）に進む。
【００４４】
（ステップ８５）では、現在の設定温度が（ステップ８１）で取り出したエアコンの設定範囲の下限温度かどうかを判断する。この場合、Ｂ社の００１という品番のエアコンの「冷房」モードにおける下限温度は１８℃であり、現在の設定温度は１９℃なので、（ステップ８５）の判断はＮＯとなり、（ステップ８６）に進む。（ステップ８６）では、設定温度を１℃下げて１８℃とし、画面６（Ｂ）の設定温度の表示を画面６（Ｃ）のように１８℃として（ステップ８７）、しばらく「温度変更」ボタンが使用者によって操作されないのを確認して（あるいは、図示しないが使用者が「決定ボタン」を押すようにして確認してもよい）、この設定温度を被制御機器１２であるエアコンに送信する。新しい設定温度である１８℃という設定温度を受け取ったエアコンは、設定温度を１８℃として冷房運転を続ける。
【００４５】
さらに、利用者が「▽」の温度変更ボタンを押すと、集中制御コントローラ１１は登録済み機器制御範囲データ記憶手段１１４の制御範囲データの検索を行い、Ｂ社の００１という品番のエアコンの制御範囲を取り出す（ステップ８１）。
【００４６】
次に、利用者が押した温度変更ボタンが「△」か「▽」であるかを判断し（ステップ８２）、「▽」であるので、（ステップ８５）に進む。
【００４７】
（ステップ８５）では、今度は現在の設定温度である１８℃が（ステップ８１）で取り出したエアコンの設定範囲の下限温度である１８℃であるので、（ステップ８５）の判断はＹＥＳとなり、（ステップ８６）〜（ステップ８８）をスキップする。
【００４８】
これにより、Ｂ社の００１というエアコンを制御する場合には、「冷房」モードでは、制御範囲の上限／下限の値を超えた値が画面に表示されること無く、また、エアコンに送信されることもない。なお、利用者が「△」の温度変更ボタンを押した場合は、（ステップ８２）の判断により（ステップ８３）、（ステップ８４）へと進むものである。
【００４９】
以上のように、本実施の形態においては、機種別の制御範囲データを被制御機器１２の制御範囲データ記憶手段１２２に記憶し、利用者が集中制御コントローラ１１を使って被制御機器１２を制御するときには、被制御機器１２の登録時に取得した制御範囲データを記憶している登録済み機器制御範囲データ記憶手段１１４の制御範囲データに従って制御できる範囲をコントロールすることにより、新しい被制御機器１２が出てきても、集中制御コントローラ１１を交換したり集中制御コントローラ１１のプログラムを入れ替えたりすることなく新しい被制御機器１２に対応することができる。
【００５０】
なお、本実施の形態では、被制御機器としてエアコンを例にとり説明したが、エアコン以外の家電機器が被制御機器となってもよいのは言うまでも無い。
【００５１】
また、制御範囲データには使用期限情報を備え、使用時間が使用期限を超えたら制御範囲データを書き換えて使用不可能（または使用できる機能を限定）してもよい。使用期限は日時指定でもよいし、機器の総使用時間の上限でもよい。このようにすれば機器の寿命を設定したりレンタルやリースサービスにも利用できる。
【００５２】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５３】
以上のように、本発明にかかる集中制御システムおよびそのプログラムは、集中制御コントローラを交換したり、集中制御コントローラのプログラムを入れ替えたりすることなく、新しい被制御機器に対応することができるので、複数の家電機器を一つのコントローラで集中制御できるようにした集中制御システムとして有用である。
【図面の簡単な説明】
【００５４】
【図１】本発明の実施の形態における集中制御システムのシステム構成図
【図２】（Ａ）被制御機器に記憶されている機種ごとの制御範囲データの例１を示す図（Ｂ）被制御機器に記憶されている機種ごとの制御範囲データの例２を示す図（Ｃ）被制御機器に記憶されている機種ごとの制御範囲データの例３を示す図
【図３】（Ａ）集中制御コントローラの登録済み機器制御範囲データ記憶手段に記憶されている登録機器データの例１を示す図（Ｂ）集中制御コントローラの登録済み機器制御範囲データ記憶手段に記憶されている登録機器データの例２を示す図（Ｃ）集中制御コントローラの登録済み機器制御範囲データ記憶手段に記憶されている登録機器データの例３を示す図
【図４】（Ａ）被制御機器の機器情報データ記憶手段に記憶されている機器情報データの例１を示す図（Ｂ）被制御機器の機器情報データ記憶手段に記憶されている機器情報データの例２を示す図（Ｃ）被制御機器の機器情報データ記憶手段に記憶されている機器情報データの例３を示す図
【図５】本発明の実施の形態における集中制御コントローラに被制御機器を登録するフローチャート
【図６】（Ａ）集中制御コントローラに表示される制御画面の例１を示す図（Ｂ）集中制御コントローラに表示される制御画面の例２を示す図（Ｃ）集中制御コントローラに表示される制御画面の例３を示す図
【図７】集中制御コントローラでの運転モード切替時のフローチャート
【図８】集中制御コントローラでの設定温度変更時のフローチャート
【図９】（Ａ）集中制御コントローラの登録情報記憶手段に記憶されている機器情報データの例１を示す図（Ｂ）集中制御コントローラの登録情報記憶手段に記憶されている機器情報データの例２を示す図（Ｃ）集中制御コントローラの登録情報記憶手段に記憶されている機器情報データの例３を示す図
【図１０】従来の集中制御システムのシステム構成図
【符号の説明】
【００５５】
１１  集中制御コントローラ
１２  被制御機器
１３  宅内ネットワーク
１１１  被制御機器データ取得手段
１１２  機器登録手段
１１３  登録情報記憶手段
１１４  登録済み機器制御範囲データ記憶手段
１２１  機器情報データ記憶手段
１２２  制御範囲データ記憶手段
１２３  被制御機器データ送信手段
１００１  従来の集中コントローラ
１００２  従来の被制御機器
１００３  宅内ネットワーク
【図１】
2005303645.tif 000003
【図２】
2005303645.tif 000004
【図３】
2005303645.tif 000005
【図４】
2005303645.tif 000006
【図５】
2005303645.tif 000007
【図６】
2005303645.tif 000008
【図７】
2005303645.tif 000009
【図８】
2005303645.tif 000010
【図９】
2005303645.tif 000011
【図１０】
2005303645.tif 000012